(57)【要約】透明ディスプレイが、ライトガイドプレート（ＬＧＰ）を含むバックライトユニット（ＢＬＵ）を備えている。ＢＬＵは、光をＬＧＰの１つの表面から他方へと伝送することができるように構成されており、このとき少なくとも１つの選択されたエリアにおいて、ＬＧＰを横切って伝送された光は、ディスプレイの背後の背景およびディスプレイ画像の両方が観察者から見えるようディスプレイ画像によって実質的に干渉されない。
2018503858.tif 000002
【特許請求の範囲】
【請求項１】
ディスプレイ装置において、
ライトガイドプレートを備えたバックライトユニットであって、前記ライトガイドプレートが、該ライトガイドプレートの第１の側の第１の主表面と、該ライトガイドプレートの反対側の第２の主表面と、前記第１の主表面に実質的に垂直な表面を有する、少なくとも１つのエッジとを有している、バックライトユニット、
を備え、
前記バックライトユニットが、光を前記エッジから前記第２の主表面の少なくとも１つの第１エリアへと、選択的に伝送するように構成されており、
前記バックライトユニットが、光を前記第１の主表面から前記第２の主表面の少なくとも１つの第２エリアへと伝送するように構成されており、
前記第１の主表面から前記第２の主表面の前記少なくとも１つの第２エリアへと伝送されている前記光を、前記エッジから伝送されている前記光が実質的に干渉するのを防ぐように、前記バックライトユニットが構成されていることを特徴とするディスプレイ装置。
【請求項２】
前記第２の主表面が、前記第１エリアおよび前記第２エリアを複数備えていることを特徴とする請求項１記載のディスプレイ装置。
【請求項３】
前記少なくとも１つの第１エリアが前記第２の主表面の長さに沿って延在しており、さらに前記少なくとも１つの第１エリアが、前記第２の主表面の長さに沿って延在している前記少なくとも１つの第２エリアに、実質的に平行でありかつ隣接していることを特徴とする請求項１または２記載のディスプレイ装置。
【請求項４】
複数の第１エリアが前記第２の主表面の長さに沿って延在しており、さらに前記複数の第１エリアが夫々、前記第２の主表面の長さに沿って延在している隣接する前記少なくとも１つの第２エリアに、実質的に平行であることを特徴とする請求項３記載のディスプレイ装置。
【請求項５】
前記第１エリアおよび前記第２エリアが、観察者から見て水平方向に延在していることを特徴とする請求項３または４記載のディスプレイ装置。
【請求項６】
前記第２の主表面の前記第１エリアの少なくとも一部が、抽出機構を備えていることを特徴とする請求項１から５いずれか１項記載のディスプレイ装置。
【請求項７】
前記エッジから前記第２の主表面の前記第１エリアへと伝送される前記光を、転向させるように構成された、転向媒体をさらに備えていることを特徴とする請求項１から６いずれか１項記載のディスプレイ装置。
【請求項８】
薄膜トランジスタ基板をさらに備えていることを特徴とする請求項１から７いずれか１項記載のディスプレイ装置。
【請求項９】
カラーフィルタ基板をさらに備えていることを特徴とする請求項１から８いずれか１項記載のディスプレイ装置。
【請求項１０】
前記ライトガイドプレートがガラス基板を備えていることを特徴とする請求項１から９いずれか１項記載のディスプレイ装置。
【請求項１１】
前記第１の主表面から前記第２の主表面の前記第２エリアへと伝送される前記光の少なくとも一部が、カラーフィルタを通過するのを防ぐように構成されていることを特徴とする請求項１から１０いずれか１項記載のディスプレイ装置。
【請求項１２】
反射材料が、前記ライトガイドプレートの少なくとも外側エッジに堆積されていることを特徴とする請求項１から１１いずれか１項記載のディスプレイ装置。
【発明の詳細な説明】
【関連出願の説明】
【０００１】
本出願は、その内容が引用されその全体が参照することにより本書に組み込まれる、２０１４年１２月８日に出願された米国仮特許出願第６２／０８８９１３号の優先権の利益を米国特許法第１１９条の下で主張するものである。
【技術分野】
【０００２】
本開示は、一般に透明ディスプレイに関し、特にコントラストおよび透過率が向上した透明液晶ディスプレイ（ＬＣＤ）に関する。
【背景技術】
【０００３】
表示された画像が背景上に見える透明ディスプレイは、自動販売機の扉、冷凍室の扉、小売広告、拡張現実スクリーン、自動車産業におけるヘッドアップディスプレイ、オフィス用スマートウィンドウ、携帯型家電、およびセキュリティモニタリングを含む様々な用途で、商業的関心の高まりを生み出している。
【０００４】
典型的には透明ＬＣＤディスプレイは、ライトガイドプレート（ＬＧＰ）が比較的低ヘイズでほとんど透明に見えるよう、比較的浅い光抽出機構を備えたエッジリットバックライトユニットを含む。拡散構造は透明ディスプレイシステムの背後に位置付けられ得、光はバックライトのガラス基板内へとその１以上のエッジに沿って、および／またはその１以上の縁に沿って導入される。光はガラス基板内を、例えば内部全反射によって導波路の形で伝播し、光散乱部分に入射する。従って光は透明バックライト外へと散乱されて、半透明ディスプレイのＬＣＤパネルを照射する。
【発明の概要】
【発明が解決しようとする課題】
【０００５】
しかしながら透明ディスプレイは、いくつかの課題となる性能特性に影響されやすい。例えばこのようなディスプレイは、画像ノイズに関連する課題を呈すると予想することができ、このとき画像は、一連の赤緑青（ＲＧＢ）ウィンドウまたは画素を、画像を生成するよう「オン」および「オフ」で切り替えることによって、またランダムな抽出機構で照射することによって形成される。個々のサブピクセルの明るさは、いくつの抽出機構が個々の画素を通して見えるかに依存する。これらの抽出機構のランダム性が、一般に「閃光（sparkle）」と称される画像ノイズをいくらか生じさせる傾向がある。
【０００６】
このようなディスプレイは、表示されている画像の明るさ次第で、画像の霞みおよび可視性に関連する課題を呈するとさらに予想することができる。例えば、明るい（または本質的に白色の）画像を表示すると、画像の白色の光が背景の光に付加され、これが霞み効果を生み出す傾向がある。対照的に暗い（または本質的に黒色の）画像を表示すると、もはやディスプレイが透過性ではないよう画素のほとんどが事実上「オフ」に切り替えられる。これはもはやパネルを通して背景を見ることができないことを意味する。
【０００７】
さらなる問題は、透明度、すなわち限られた光透過率である。高解像度ＬＣＤディスプレイでは、偏光子およびカラーフィルタによって吸収される光を考慮すると、ＬＣＤパネルの光透過率は、ＬＣＤディスプレイが透明であると意図されている場合に背景画像が比較的薄暗くなり得るような、およそ７．５％程度にしかならない可能性がある。
【課題を解決するための手段】
【０００８】
本書で開示されるのは、ライトガイドプレートを含むバックライトユニットを備えた、ディスプレイ装置である。ライトガイドプレートは、ライトガイドプレートの第１の側の第１の主表面と、ライトガイドプレートの反対側の第２の主表面と、第１の主表面に実質的に垂直な表面を有する、少なくとも１つのエッジとを備えている。バックライトユニットは、光をエッジから第２の主表面の少なくとも１つの第１エリアへと、選択的に伝送するように構成されている。バックライトユニットは、光を第１の主表面から第２の主表面の少なくとも１つの第２エリアへと伝送するようにさらに構成されている。さらにバックライトユニットは、第１の主表面から第２の主表面の少なくとも１つの第２エリアへと伝送されている光を、エッジから伝送されている光が実質的に干渉するのを防ぐように構成されている。
【０００９】
これらおよび他の実施形態のさらなる特徴および利点は、以下の詳細な説明の中に明記され、ある程度はその説明から当業者には容易に明らかになるであろうし、あるいは以下の詳細な説明、請求項、並びに添付の図面を含め、本書で説明されたように実施形態を実施することにより認識されるであろう。
【００１０】
前述の一般的な説明および以下の詳細な説明は、本開示の実施形態を示したものであること、また請求される実施形態の本質および特徴を理解するための概要または構成を提供するよう意図されたものであることを理解されたい。添付の図面は、これらおよび他の実施形態のさらなる理解を提供するために含まれ、本明細書に組み込まれかつその一部を構成する。図面はこれらおよび他の実施形態の種々の実施形態を示し、その説明とともに、その原理および動作の説明に役立つ。
【図面の簡単な説明】
【００１１】
【図１】第１群の画素がディスプレイ画素として構成されたものであり、第２群の画素が背景画素として構成されたものである、画素のアレイの概略図
【図２】カラーフィルタが背景画素から除去されている、図１に示した画素のアレイを表した概略図
【図３】ＲＧＢ画素に位置合わせされた抽出機構をバックライトユニット（ＢＬＵ）が有している、２次元パターンに配置された赤緑青白（ＲＧＢＷ）画素のアレイの概略図
【図４】図３に示した配置に関連する発光現象を示している切欠き側面図
【図５】光抽出機構がディスプレイ画素に位置合わせされている、図２に示した画素のアレイを表した概略図
【図６】ＬＧＰとＴＦＴ基板との間の例示的な接合構成を示している切欠き側面図
【図７】例示的なＬＧＰにおける、光の伝播、散乱、および抽出を表した概略図
【図８】転向媒体（転向フィルムなど）がＬＧＰとＴＦＴ基板との間に位置付けられている場合の、図７のＬＧＰにおける光の伝播、散乱、および抽出を表した概略図
【図９】選択されたエリア内でディスプレイ画像に関連する光が背景画像に関連する光を実質的に干渉しないように転向媒体が構成されている場合の、ディスプレイ画像に関連する光および背景画像に関連する光の伝送を示した概略図
【図１０】ウィンドウがディスプレイ画像を示し、表示エリアの残りの部分が背景を示す、例示的な「ウィンドウ」構成を示した図
【発明を実施するための形態】
【００１２】
ここで本開示の実施形態を参照し、その例を添付の図面に示す。可能な限り、図面を通じて、同じまたは同様の部分の参照に同じ参照番号を使用する。
【００１３】
透明および半透明ＬＣＤテレビなどの、透明ディスプレイシステムは、デジタルサイネージおよびデジタル広告などの商業的用途のために設計されることがある。こういったディスプレイシステムは、「オフ」状態で（すなわち、ＬＣＤ素子を駆動する関連する電子機器によって、画像のない状態が要求されている場合に）半透明である。半透明の特性を維持するために、これらのディスプレイシステムでは、光を生成する不透明な光バックプレーンを採用していない。代わりにこのディスプレイシステムは、背景の環境光を使用して、「オン」状態で（すなわち、関連する電子機器が画像を要求している場合に）ＬＣＤを照射する。従ってディスプレイは透けて見え、ディスプレイパネルの背後の物体（商品など）を見ることができる。同時に観察者は、ディスプレイパネルの特定の部分（またはディスプレイパネル全体）にある視覚情報も受信することができ、この視覚情報は商業的用途の世界では、例えばスクリーンの背後の商品に関連するものになる。
【００１４】
本書で開示される実施形態は、透明ディスプレイ装置およびシステムに関し、特にライトガイドプレート（ＬＧＰ）を含むバックライトユニット（ＢＬＵ）を備えたディスプレイ装置に関する。ライトガイドプレートは、ライトガイドプレートの第１の側の第１の主表面と、ライトガイドプレートの反対側の第２の主表面と、第１の主表面に実質的に垂直な表面を有する、少なくとも１つのエッジとを備えている。バックライトユニットは、光をエッジから第２の主表面の少なくとも１つの第１エリアへと、選択的に伝送するように構成されている（すなわち、画像伝送）。バックライトユニットは、光を第１の主表面から第２の主表面の少なくとも１つの第２エリアへと伝送するようにさらに構成されている（すなわち、背景伝送）。さらにバックライトユニットは、第１の主表面から第２の主表面の少なくとも１つの第２エリアへと伝送されている光を、エッジから第２の主表面の少なくとも１つの第１エリアへと伝送されている光が実質的に干渉するのを防ぐように構成されている（「実質的に干渉する」とは、観察者から装置を通して背景が明瞭に見えないように、第１の主表面から第２の主表面の少なくとも１つの第２エリアへと伝送される光が干渉されることを意味する）。これにより、ディスプレイ装置は透過性および透明性の向上を呈することが可能になり、このときディスプレイ装置へと向いている観察者にはディスプレイ装置を通して背景が見え、同時に、ＬＣＤ素子を駆動する関連する電子機器によって要求されている画像が表示される。この透過性および透明性の向上は、表示されている画像が極めて明るい（または白色の）場合でも、あるいは極めて暗い（または黒色の）場合でも、呈することができる。
【００１５】
ライトガイドプレート（ＬＧＰ）に加えて、本書で開示されるディスプレイ装置は、薄膜トランジスタ（ＴＦＴ）基板およびカラーフィルタ（ＣＦ）基板をさらに含み得る。
【００１６】
図１は、第１群の画素１２がディスプレイ画素として構成されたものであり、また第２群の画素１４が背景画素として構成されたものである、画素のアレイ１０の概略図を示している。第１群の画素１２のエリアはＬＧＰの第２の主表面の少なくとも１つの第１エリア（すなわち「ディスプレイ」エリア）に位置合わせされ、このときバックライトユニットは、光（すなわち「ディスプレイ」光）をエッジから第２の主表面の少なくとも１つの第１エリアへと、選択的に伝送するように構成されている。少なくとも第２群の画素１４のエリアは、ＬＧＰの第２の主表面の少なくとも１つの第２エリア（すなわち「背景」エリア）に位置合わせされ、このときバックライトユニットは、光（すなわち「背景」光）を第１の主表面から第２の主表面の少なくとも１つの第２エリアへと伝送するように構成されている。バックライトユニットは、第１の主表面から第２の主表面の、第２群の画素１４に位置合わせされている少なくとも１つの第２エリア（すなわち「背景」エリア）へと伝送されている光（すなわち「背景」光）を、エッジから伝送されている光（すなわち「ディスプレイ」光）が実質的に干渉するのを防ぐように構成されている。別の言い方をすると、第２群の画素１４（「背景」画素）は、装置を通して見える背景に関連する光に対応し、一方第１群の画素１２（「ディスプレイ」画素）は、装置によって表示されている画像に関連する光に対応する。
【００１７】
図１から分かるように、本書における実施形態は、ＬＧＰの第２の主表面が複数の第１エリアおよび第２エリアを有するものを含む。
【００１８】
図１に示されているように、図示の第１群の画素１２および第２群の画素１４は、アレイ１０の状態の実質的に平行な交互の画素のラインである。第１および第２の群の画素に対応する２つのラインのみが図１に示されているが、本書における実施形態は、第１および第２の群の画素の夫々に対応する、２つよりも多い、複数の実質的に平行なラインを有するものを含むことを理解されたい。同様に本書における実施形態は、少なくとも１つの第１エリア（すなわち「ディスプレイエリア」）が、ＬＧＰの第２の主表面の長さに沿って延在しており、かつＬＧＰの第２の主表面の長さに沿って延在している少なくとも１つの第２エリア（すなわち「背景エリア」）に実質的に平行でありかつ隣接しているものを含む。
【００１９】
図１０に示されている代わりの実施形態では、背景に関連する画素を効果的に「オフ」にし、表示される画像に関連する画素を特定の（すなわち窓状の）エリアすなわちウィンドウ１０２内で効果的に「オン」にする、「ウィンドウ」構成１００を提供することができる。表示エリア１０４の残部では、装置を通して背景を見ることができる。ディスプレイが「タッチ」機能を含む場合には、画像ウィンドウの位置およびサイズをユーザによって変形させることができる。ディスプレイを異なるモード間で切り替ることもできる。
【００２０】
図２は、第２群の画素１４（「背景画素」）に対するカラーフィルタが除去されている、図１に示した画素のアレイの概略図である。背景画素は表示される画像の生成に実質的に寄与しないため、パネルを通る背景光の伝送全体を向上させるべくカラーフィルタを選択的に除去してもよい。
【００２１】
いかなる特定の材料にも限定するものではないが、従来のライトガイドプレートは、ポリメチル・メタクリレート（ＰＭＭＡ）またはポリカーボネートなどの、ポリマーを用いて作製されることが多い。しかしながらＰＭＭＡは水分に対して非常に敏感であり、さらにＬＧＰの熱膨張係数（ＣＴＥ）は好適には、ＴＦＴおよびＣＦ基板に用いられる材料のＣＴＥに、可能な限り近いものであるべきである。ＴＦＴおよびＣＦ基板は、最も典型的にはガラス材料を含むため、ＬＧＰはガラス基板を含むことが好ましく、高光透過率を有するガラス基板を含むことが最も好ましい。
【００２２】
さらに、表示される画像の発光を助けるために、ＴＦＴ基板に最も近いＬＧＰの表面（すなわち、「第２の主表面」）の少なくとも一部は、「抽出機構」と称される複数の表面特徴を含み得る。抽出機構を生成する場合、ＬＧＰの１以上の表面を例えば粗面化してもよく、また材料の個別の点のパターンを、この表面上にパターン形成してもよい。例示的なガラス製ＬＧＰ基板、およびこれに抽出機構を生成する方法は、その全開示が参照することにより本書に組み込まれる、米国特許出願第６１／９１８，２７６号明細書において開示されている。
【００２３】
図３は、ＲＧＢ画素に位置合わせされた抽出機構（図３に点として示されている）をバックライトユニット（ＢＬＵ）が有している、２次元パターンに配置された赤緑青白（ＲＧＢＷ）画素のアレイ２０の概略図である。図４は、図３に示した配置に関連する発光現象を示した切欠き側面図であり、ＴＦＴ基板４０はＬＧＰ３０とＣＦ基板５０との間に挟持されており、ＬＧＰ３０は画素５２に位置合わせされた光抽出機構３２を含み、さらにディスプレイ光の発光角度が矢印４２で示されている。光抽出機構３２がＴＦＴ基板４０に略接触していると仮定すると、ガラスにおける発光半角は以下で計算することができる。
【００２４】
Ｔａｎθ＝Ｓｕｂ＿ｐｉｘ／２／Ｔｈ
Ｓｉｎθ´＝１．５ｓｉｎθ
ここで、Ｓｕｂ＿ｐｉｘはＲＧＢのサブピクセルのサイズ、ＴｈはＴＦＴ基板の厚さ、θおよびθ´はガラス内および空気中の発光半角である。
【００２５】
画像解像度が１０８０ｐ（１９２０×１０８０）の、例示的なディスプレイサイズ７００×４００ｍｍを検討すると、画素ピッチは約０．３６５ｍｍであり、サブピクセルの寸法はピッチの約６分の１、すなわち０．０６１ｍｍである。ＴＦＴの厚さ（Ｔｈ）が０．５５ｍｍであると仮定すると発光半角は空気中で約４．７°であり、かなり限定的である。結果として観察者がこの大幅に狭い視角の外側である場合、背景画素のみが照らし出され、これは意図されている効果とは反対になる。
【００２６】
従って視角を改善するために、例えば図２に示されている交互の直線状構成が好ましい。その場合、検討されるサブピクセルの寸法は画素ピッチの半分であり、これにより視角は±１４°に増加する。この角度は、より低い解像度（より大きいパネル）を用いることによっても、あるいはより薄いＴＦＴ基板を用いることによっても、さらに増加させることができる。さらに、ディスプレイ、特に公共ディスプレイ用途においては、水平平面における視角は鉛直平面における視角よりも重要である。従って好適な実施形態において、ＲＧＢ画素および対応するＬＧＰの第２の表面の第１エリアおよび第２エリアは、観察者から見て水平方向に延在している。
【００２７】
図５は、光抽出機構１６がディスプレイ画素に位置合わせされている、図２に示した画素のアレイ１０の概略図である。この抽出機構は、例えば図５に示されているようにラインとしてパターン化されたものでもよいし、あるいはラインに沿って配置された、一連の不連続なパターンを含むものでもよい。光抽出率は、例えばラインの幅を調整することによって、および／またはライン内の抽出機構の密度を調整することによって、調整することができる。
【００２８】
さらに十分な位置合わせを維持するために、ＬＧＰは好適にはＴＦＴ基板の背面に固定される。しかしながら、接合によって光がＬＧＰからＴＦＴ基板内へ漏出する場合、問題が生じる。図６に示されているように、例示的な解決策として、ＴＦＴ基板４０との接合エリア３６を覆うように、ＬＧＰ３０のエッジを反射コーティング３４でコーティングするものを挙げることができる。好適にはその接合の幅は、反射コーティング内への吸収効果を最小限に抑えるために、２ミリメートル未満など可能な限り薄いものとされるべきである。
【００２９】
図７は、例示的なＬＧＰ３０における光の伝播、散乱、および抽出の概略図である。ライトガイド内で、エッジから注入される光３５は内部全反射によって伝播する。ライトガイドと空気との間の境界面にいくらかの粗さが存在している場合、光の一部はその夫々で跳ね返るときに散乱される。この散乱の結果、いくつかの光線は伝播角度が変化する。従って、ＴＩＲ−Δ（ＴＩＲは内部全反射を意味する）の角度で伝播している光線は、このときＴＩＲ−Δ＋εの角度で伝播することになり、ここでεは散乱事象に起因する角度の変化である。εがΔよりも大きい場合、角度はこのときＴＩＲ角度を超えるため、光線は導波路から抽出される。しかしながら粗さが十分に浅く、比較的低い空間周波数（２０μｍ以上のような）を含む場合には、新たな角度ＴＩＲ−Δ＋εはＴＩＲ角度に近いままとなり、これは光が非常に高角度（グレージング入射）で抽出されることを意味する。そのためこのような系では、（矢印３７で図示されているように）光のほとんどが９０°に近い角度で抽出される。
【００３０】
この機構をライトガイド抽出で使用するためには、さらなる問題を検討する必要がある。すなわち、光が伝播方向に沿って抽出されると出力密度が減少し、抽出され得る光の量が減少することになる。この問題は、伝播方向に沿って散乱効率を変化させることによって克服することができる。これは例えば、粗さの深さを増加させること、導波路の厚さを減少させること、あるいは粗さの空間周波数を増加させることによって達成することができる。最適化の原理は、伝播方向に沿って均質な光の漏出を得るために、粗さの形状を変化させることにある。
【００３１】
光を法線入射に方向変換させるために、装置はエッジから第２の主表面の第１エリアへと伝送される光（すなわち「ディスプレイ」光）の向きを変えるように構成された、転向媒体をさらに含み得る。転向フィルムなどの転向媒体は、典型的には、光がプリズム面で内部全反射された後に観察者に向かって方向変換される、直線状のプリズムアレイを含む。図８は、転向媒体３８（転向フィルムなど）がＬＧＰ３０とＴＦＴ基板４０との間に位置付けられている場合の、図７のＬＧＰにおける光の伝播、散乱、および抽出の概略図である。図８から分かるように、転向媒体は、抽出された光を矢印３７によって示されているように方向変換させる。
【００３２】
図９は、選択されたエリア内でディスプレイ画像に関連する光が背景画像に関連する光を実質的に干渉しないように転向媒体３８が構成されている場合の、ディスプレイ画像に関連する光および背景画像に関連する光の、伝送の概略図である。図９に示されている実施形態では、均質な照明を生成する代わりに、光が高入射角で入るとプリズムの一部のみが照射されるという事実によって転向媒体（転向フィルム）が一連のラインを生成する。例えば、漏れ波導波路で伝播色が一色のみの場合、ＴＦＴ基板４０の背面に転向媒体３８を積層してもよく、このとき所与の色に対する一連のライン３７は、この特定の色の画素５２に位置合わせされる。画素の周期と同じ周期を有するプリズムを用いることによってラインのアレイを生成することができ、かつ、デューティ比を５０％未満にすることで、矢印３９で示される光の伝播によって図示されているようにディスプレイは依然として透過性を呈する。図９の根拠を形成するシミュレーションにおいて、プリズムのベースの２つの角度を５２°に設定した。ＬＧＰ３０から外への発光角度は８０°であった。当然のことながら他の角度を使用してもよいし、プリズムの角度を変えることによって発光方向を変更することができる。本実施形態は実験によって立証されたが、この実験では、その面上にいくらか浅いテクスチャを有し、かつ３Ｍ社（3M Corporation）製のＶｉｋｕｉｔｉ転向フィルムで覆われた、ＬＧＰの一方の面に光を注入したときに、空間的エネルギーを測定した。ラインは、モデルで予測されたように、明瞭に観測された。
【００３３】
本開示の精神および範囲から逸脱することなく、本開示の実施形態の種々の改変および変形が作製可能であることは当業者には明らかであろう。従って、これらの改変および変形さらに他の実施形態が、添付の請求項およびその同等物の範囲内に入るならば、本開示はこれらを含むと意図されている。
【００３４】
以下、本発明の好ましい実施形態を項分け記載する。
【００３５】
実施形態１
ディスプレイ装置において、
ライトガイドプレートを備えたバックライトユニットであって、前記ライトガイドプレートが、該ライトガイドプレートの第１の側の第１の主表面と、該ライトガイドプレートの反対側の第２の主表面と、前記第１の主表面に実質的に垂直な表面を有する、少なくとも１つのエッジとを有している、バックライトユニット、
を備え、
前記バックライトユニットが、光を前記エッジから前記第２の主表面の少なくとも１つの第１エリアへと、選択的に伝送するように構成されており、
前記バックライトユニットが、光を前記第１の主表面から前記第２の主表面の少なくとも１つの第２エリアへと伝送するように構成されており、
前記第１の主表面から前記第２の主表面の前記少なくとも１つの第２エリアへと伝送されている前記光を、前記エッジから伝送されている前記光が実質的に干渉するのを防ぐように、前記バックライトユニットが構成されていることを特徴とするディスプレイ装置。
【００３６】
実施形態２
前記第２の主表面が、前記第１エリアおよび前記第２エリアを複数備えていることを特徴とする実施形態１記載のディスプレイ装置。
【００３７】
実施形態３
前記少なくとも１つの第１エリアが前記第２の主表面の長さに沿って延在しており、さらに前記少なくとも１つの第１エリアが、前記第２の主表面の長さに沿って延在している前記少なくとも１つの第２エリアに、実質的に平行でありかつ隣接していることを特徴とする実施形態１または２記載のディスプレイ装置。
【００３８】
実施形態４
複数の第１エリアが前記第２の主表面の長さに沿って延在しており、さらに前記複数の第１エリアが夫々、前記第２の主表面の長さに沿って延在している隣接する前記少なくとも１つの第２エリアに、実質的に平行であることを特徴とする実施形態３記載のディスプレイ装置。
【００３９】
実施形態５
前記第１エリアおよび前記第２エリアが、観察者から見て水平方向に延在していることを特徴とする実施形態３または４記載のディスプレイ装置。
【００４０】
実施形態６
前記第２の主表面の前記第１エリアの少なくとも一部が、抽出機構を備えていることを特徴とする実施形態１から５いずれか１項記載のディスプレイ装置。
【００４１】
実施形態７
前記エッジから前記第２の主表面の前記第１エリアへと伝送される前記光を、転向させるように構成された、転向媒体をさらに備えていることを特徴とする実施形態１から６いずれか１項記載のディスプレイ装置。
【００４２】
実施形態８
薄膜トランジスタ基板をさらに備えていることを特徴とする実施形態１から７いずれか１項記載のディスプレイ装置。
【００４３】
実施形態９
カラーフィルタ基板をさらに備えていることを特徴とする実施形態１から８いずれか１項記載のディスプレイ装置。
【００４４】
実施形態１０
前記ライトガイドプレートがガラス基板を備えていることを特徴とする実施形態１から９いずれか１項記載のディスプレイ装置。
【００４５】
実施形態１１
前記第１の主表面から前記第２の主表面の前記第２エリアへと伝送される前記光の少なくとも一部が、カラーフィルタを通過するのを防ぐように構成されていることを特徴とする実施形態１から１０いずれか１項記載のディスプレイ装置。
【００４６】
実施形態１２
反射材料が、前記ライトガイドプレートの少なくとも外側エッジに堆積されていることを特徴とする実施形態１から１１いずれか１項記載のディスプレイ装置。
【符号の説明】
【００４７】
１０    画素のアレイ
１２    第１群の画素
１４    第２群の画素
１６、３２    光抽出機構
３０    ＬＧＰ
３８    転向媒体
４０    ＴＦＴ基板
５０    ＣＦ基板
５２    画素
【図１】
2018503858.tif 000003
【図２】
2018503858.tif 000004
【図３】
2018503858.tif 000005
【図４】
2018503858.tif 000006
【図５】
2018503858.tif 000007
【図６】
2018503858.tif 000008
【図７】
2018503858.tif 000009
【図８】
2018503858.tif 000010
【図９】
2018503858.tif 000011
【図１０】
2018503858.tif 000012
【国際調査報告】
2018503858.tif 000013
2018503858.tif 000014